(57)【要約】      （修正有）【課題】工区の図面情報とともに、検査した箇所の検査結果を見やすくした帳票を表示等する施工検査システムを提供する。【解決手段】管理サーバ１０は、クライアント端末５０から指定された工区の検査結果を帳票として作成するための作成指令を受ける作成指示受信部１４２と、工区の図面情報を中心に配置し、複数の検査結果を図面情報の周囲に配置し、工区の図面情報の検査場所から検査結果への引出線を配置する帳票を作成する帳票作成部１４３と、を備える。帳票作成部は、複数の引出線が交差しないように検査結果を配置する。【選択図】図１
2017130004.tif 000002
【特許請求の範囲】
【請求項１】
建築物の工区の図面情報、前記工区内で検査される複数の検査情報、並び前記図面情報及び前記検査情報に関連付けられて検査された検査結果を記憶する携帯端末と、該携帯端末に接続され前記携帯端末から前記検査結果を受け取る管理サーバと、該管理サーバと接続されるクライアント端末とからなる施工検査システムであって、
前記管理サーバは、
前記クライアント端末から指定されたもしくは任意に設定された工区の前記検査結果を帳票として作成するための作成指令を受ける作成指示受信手段と、
前記工区の図面情報を中心に配置し、複数の前記検査結果を前記図面情報の周囲に配置し、前記工区の図面情報の検査場所から前記検査結果への引出線を配置する帳票を作成する帳票作成手段と、を備え、
前記帳票作成手段は、複数の前記引出線が交差しないように前記検査結果を配置する施工検査システム。
【請求項２】
前記検査結果は、前記検査情報に関する手書き情報又は前記検査情報の写真を含む請求項１に記載の施工検査システム。
【請求項３】
前記作成指示受信手段は前記検査結果の個数を受信し、前記帳票作成手段は中央に配置した前記図面情報の周りに受信した個数分だけ前記検査結果を配置する請求項１又は請求項２に記載の施工検査システム。
【請求項４】
前記検査結果は、受信した前記個数に応じて、表示される大きさが変わる請求項４に記載の施工検査システム。
【請求項５】
さらに、前記帳票を前記クライアント端末に送信する送信手段を備える請求項１から請求項４のいずれか一項に記載の施工検査システム。
【請求項６】
前記携帯端末は、第１検査主体に携帯される第１携帯端末と前記第１検査主体とは異なる第２検査主体に携帯される第２携帯端末とを含み、
前記管理サーバは、前記第１携帯端末から第１検査結果を受けるとともに前記第２携帯端末から第２検査結果を受け、
前記帳票作成手段は、前記第１検査結果及び前記第２検査結果を併記して配置又は合成して配置する請求項１から請求項５のいずれか一項に記載の施工検査システム。
【請求項７】
通り情報を端末画面に表示できる機能を持ったアプリケーションをダウンロードしてそのアプリケーションを利用した携帯端末を使って建築物の工区の施工を検査する施工検査方法でおいて、
前記携帯端末から前記建築物の工区内で検査される複数の検査情報に関連付けられて検査された検査結果を受信する検査結果受信ステップと、
接続されたクライアント端末か指定された工区の前記検査結果の帳票の表示指令を受ける作成指示受信ステップと、
前記工区の図面情報を中心に配置し、複数の前記検査結果を前記図面情報の周囲に配置し、前記工区の図面情報の検査場所から前記検査結果への引出線を配置する帳票を作成する帳票作成ステップと、を備え、
前記帳票作成ステップは、前記引出線が重ならないように前記検査結果を配置する施工検査方法。
【発明の詳細な説明】
【技術分野】
【０００１】
本発明は、建物の施工検査業務を支援する施工検査システム及びその施工検査方法に関する。
【背景技術】
【０００２】
建設の工事における施工検査業務、例えば配筋検査と呼ばれる鉄筋の配置状況又は鉄骨のボルト締めをチェックする検査に関して、これを効率的に行うためのシステムが提案されている。
【０００３】
特許文献１に開示される建設工事検査システムは、携帯情報端末と、検査場所を撮影するデジタルカメラと、検査情報及び検査場所の画像データを取り込み、帳票を作成する検査用帳票作成プログラムを有するコンピュータと、このコンピュータに接続された表示装置と、このコンピュータに適宜に接続される印刷装置とから構成される。そしてこの検査システムは、工事種別と検査項目とのデータを基にして帳票の欄に検査項目を時系列に沿って表示させ、その検査項目に時間の属性データによって時系列で対応する画像データを自動割り付けで配設して帳票を作成している。
【先行技術文献】
【特許文献】
【０００４】
【特許文献１】特開２００５−１７３６９８号
【発明の概要】
【発明が解決しようとする課題】
【０００５】
しかし、特許文献１の発明は、写真が撮影された日時をもとにして、携帯端末に入力された検査情報の日時と対比させ、検査情報の日時から写真Ｎｏが、「○○工事」の対応写真であると関連付ける。そして、この特許文献１の発明は、帳票として「○○工事」の対応写真が時系列に自動割り付けするのみである。「○○工事」の全体のなかで、写真がどの場所であるかがわかりにくく、また、「○○工事」と写真とが紐づけされていないため、「○○工事」の途中に別の「△△工事」の撮影をすると、別の工事写真が帳票に入ってしまうことにもなる。
【０００６】
本発明は、上記のような従来技術の問題点を解決するためになされたもので、工区の図面情報とともに、検査した箇所の検査結果を見やすくした帳票を表示等できる施工検査システム、及びその検査方法を提供する。
【課題を解決するための手段】
【０００７】
第１の観点の施工検査システムは、建築物の工区の図面情報、工区内で検査される複数の検査情報、並び図面情報及び検査情報に関連付けられて検査された検査結果を記憶する携帯端末と、該携帯端末に接続され携帯端末から検査結果を受け取る管理サーバと、該管理サーバと接続されるクライアント端末とからなる。管理サーバは、クライアント端末から指定された工区の検査結果を帳票として作成するための作成指令を受ける作成指示受信手段と、工区の図面情報を中心に配置し、複数の検査結果を図面情報の周囲に配置し、工区の図面情報の検査場所から検査結果への引出線を配置する帳票を作成する帳票作成手段と、を備える。そして、帳票作成手段は、複数の引出線が交差しないように検査結果を配置する。
【０００８】
検査結果は、検査情報１２４に関する手書き情報又は検査情報１２４の写真を含む概念である。
また、作成指示受信手段は、検査結果の個数を受信し、帳票作成手段は中央に配置した図面情報１２２の周りに受信した個数分だけ検査結果を配置する。
また、検査結果は、受信した個数に応じて、表示される大きさが変わる。
さらに、帳票をクライアント端末に送信する送信手段を備えてもよい。
【０００９】
携帯端末は、第１検査主体に携帯される第１携帯端末と第１検査主体とは異なる第２検査主体に携帯される第２携帯端末とを含み、管理サーバは、第１携帯端末から第１検査結果を受けるとともに第２携帯端末から第２検査結果を受け、帳票作成手段は、第１検査結果及び第２検査結果を併記して配置又は合成して配置する。
【００１０】
第２の観点の施工検査方法は、通り情報を端末画面に表示できる機能を持った施工検査アプリケーション（以下施工管理アプリという）をダウンロードしてその施工管理アプリを利用した携帯端末を使って建築物の工区の施工を検査する施工検査方法である。この方法は、携帯端末から建築物の工区内で検査される複数の検査情報１２４に関連付けられて検査された検査結果を受信する検査結果受信ステップと、接続されたクライアント端末から指定された工区の検査結果の帳票の表示指令を受ける作成指示受信ステップと、工区の図面情報１２２を中心に配置し、複数の検査結果を図面情報１２２の周囲に配置し、工区の図面情報１２２の検査場所から検査結果への引出線を配置する帳票を作成する帳票作成ステップと、を備える。そして帳票作成ステップは、引出線が重ならないように検査結果を配置する。
【図面の簡単な説明】
【００１１】
【図１】実施形態に係る施工検査システムの概略の構成を示した図である。
【図２】施工検査システムの動作に関するフローチャートである。
【図３】（ａ）図面情報１２２及び検査情報１２４をダウンロードする際に、表示部３９に表示される画面である。（ｂ）表示部３９にダウンロードした図面情報１２２を表示した画面の一例である。（ｃ）図３（ｂ）の点線で囲まれた領域ＥＬを拡大した図である。
【図４】（ａ）図３（ｃ）の拡大図に“通り番号”を表示した画面の一例である。（ｂ）拡大した断面図上に手書きでメモを書いたりチェック記号を付けたりした画面の一例である。
【図５】（ａ）携帯端末３０に、撮影した写真が取り込まれた図である。（ｂ）撮影した写真に手書き情報を記入した図である。（ｃ）検査位置の不具合をキーボードで記入する図である。
【図６】図２のフローチャートの点線枠内をより詳細に示したフローチャートである。
【図７】帳票を作成する際に、工区（大工区）のどの領域（小工区）の帳票を作成するか設定する画面である。
【図８】帳票を作成する際にどのような項目を帳票に加えるかを選択する選択画面である。
【図９】「配筋写真印刷」ボタンＤ５５がクリックされ、表示された画面である。
【図１０】「全数検査帳票」ボタンＤ５６がクリックされ、表示された画面である。
【図１１】「全数検査帳票（写真付き）」ボタンＤ５８がクリックされ、表示された画面である。
【図１２】「指摘帳票印刷」ボタンＤ５９がクリックされ、表示された画面である。
【発明を実施するための最良の形態】
【００１２】
＜施工検査システムの概要＞
図１は、実施形態に係る施工検査システムの概略の構成を示した図である。このシステムは、サーバ１０、カメラ３１が付いたタブレット端末３０、及びクライアント端末５０を含む。またタブレット端末３０は、携帯可能なノートパソコンであってもよく、スマートフォンであってもよい。なお、表示した建築物の図面情報１２２にメモ等が書き込めるように、タッチパネル機能付きの表示部３９を有していることが望ましい。クライアント端末５０には、その表示部５９に表示した帳票等を印刷するため、プリンタ５５が接続されている。クライアント端末５０は、携帯可能なノートパソコン又は設置式のディスクトップパソコンであってもよい。
【００１３】
カメラ機能付きのタブレット端末３０は、施工者が行う検査（一般に自主検査と呼ばれる。）の他に使用されたり、監理者が立会検査（一般に監理検査と呼ばれる。）で使用されたり、設計者が行う立会検査（一般に設計検査と呼ばれる。）で使用されたり、施主が行う立会検査（一般に施主検査と呼ばれる。）で使用されたりする。このため、図１では複数のタブレット端末３０が描かれている。また図１では描かれていないが、クライアント端末５０も、施工者、監理者、設計者又は施主が使用することがあるため、クライアント端末５０が複数接続されていても良い。
【００１４】
サーバ１０は、建築物の工区の図面情報１２２、工区内で検査される複数の検査情報１２４、その検査情報１２４に関する検査結果１２６及び作成した作成帳票１２８を記憶するハードディスク等の記憶部１２を有する。図面情報１２２は、建築物の工区の見取り図面（伏図や現場地図など）、部材図面（配筋断面図、鉄骨図など）を含む。また検査情報１２４は、図面情報１２２中の場所（工区、階、部屋など）、検査種類（配筋検査、鉄骨検査、スリーブ検査など）、検査対象（柱、梁、壁など）、検査項目（種類、数、ピッチなど）、検査ポイント（柱の断面を外側から囲む等間隔で配置された点、検査対象位置と伏図上の位置（ＸＹ座標）など）を含む。検査情報１２４は、見取り図面及び部材図面に配置された各部材の位置に対応づけられている。また、検査情報１２４は、予め規定された検査位置だけでなく、検査者が任意に指定した検査位置も含む。
【００１５】
検査結果１２６は、検査位置で検査者がカメラ３１で撮影した写真（例えばＪＰＥＧデータ）及び検査者がその写真に書き込んだメモ等（例えばビットマップデータ）を含む。また、図面情報１２２に書き込んだメモ等（例えばビットマップデータ）や、不具合をキーボード等で打ち込んだ情報を含む。作成帳票１２８は、見取り図面（例えばＣＡＤデータ）の周囲に配置した検査結果（写真やメモ等）を例えばＰＤＦ（Portable Document Format）にしたデータを含む。
【００１６】
またサーバ１０は、ＣＰＵなど演算処理を行う演算処理部１４を備え、演算処理部１４は、図面送信部１４１、作成指示受信部１４２、帳票作成部１４３及び帳票送信部１４４を含む。図面送信部１４１は、携帯端末３０からの図面情報１２２及び検査情報１２４の送信要求を受けて、図面情報１２２及び検査情報１２４を携帯端末３０へ送信する。作成指示受信部１４２は、クライアント端末５０から指定された工区及び検査結果の帳票の作成の作成指令を受ける。また帳票作成部１４３は、工区の図面情報１２２を中心に配置し、複数の検査結果１２６を図面情報１２２の周囲に配置した帳票を作成する。そして帳票作成部１４３は、工区の図面情報１２２中の検査位置から検査結果１２６への引出線を配置し、検査場所と検査結果との関係をわかりやすくする。帳票送信部１４４は、作成した作成帳票１２８をクライアント端末に送信する。
【００１７】
記憶部１２及び演算処理部１４は、プログラムによって上記実施形態の施工検査システムを構築する。
【００１８】
＜施工検査システムの動作＞
施工検査システムの動作について説明する。図２は、施工検査システムの動作に関するフローチャートである。まず、クライアント端末５０のオペレーターは、サーバ１０が用意するＷＥＢページにＩＤ番号及びパスワードを入れて接続する。そしてクライアント端末５０に記憶されていた、建築物の図面情報１２２及びその建築物の検査情報１２４をサーバ１０に送信する（ステップＣ１１）。図面情報１２２には、ビル名及び住所等の書誌的情報を含んでいてもよい。サーバ１０は、建築物の図面情報１２２及びその建築物の検査情報１２４を受信し、記憶部１２に図面情報１２２及び検査情報１２４として記憶する（ステップＳ１１）。
【００１９】
その後、携帯端末３０を保持する検査者は、携帯端末３０が施工検査アプリを起動させて、携帯端末３０をサーバ１０に接続する。施工管理アプリがまだ携帯端末３０に記憶されていないなら、サーバ１０が管理するＷＥＢサイトに移行しＩＤ番号及びパスワードを設定して施工管理アプリをダウンロードする。そしてサーバ１０の図面送信部１４１は、携帯端末３０からの図面情報１２２等の要求に応えて、建築物の図面情報１２２及びその建築物の検査情報１２４等を送る。携帯端末３０は、建築物の図面情報１２２及びその建築物の検査情報１２４等を受信する（ステップＰ１１）。
【００２０】
検査者は、建築物の工事現場等において検査するに際して、その建築物の図面情報１２２のうち検査位置を含む検査領域（フロア・部屋・工区等）を指定し、その検査領域の図面情報１２２を携帯端末３０の表示部３９に表示する（ステップＰ１２）。
【００２１】
検査者は、検査領域（フロア、部屋、工区等）へ移動し、施工の具合などを検査する。その際に、携帯端末３０の表示部３９に表示されている図面情報１２２を、検査者の指又はペンで拡大表示させたり、検査位置を表示部３９の中央に移動させたりする。表示された図面情報１２２上で検査位置を指又はペンでタップすると、その検査位置にはユニークなＩＤが自動的に割り振られ、表示された図面情報１２２に記入される（ステップＰ１３）。またその検査位置（Ｘ,Ｙ座標）が検査結果としても記憶される。
【００２２】
検査者は、検査し終えて検査位置の配筋や鉄骨などに手書きでコメント等を付けたい場合には、検査位置のＸ,Ｙ座標が記憶されているため、そのＸ,Ｙ座標に該当する柱などの断面の拡大図面を表示させることができる。その検査位置の配筋などの図面情報１２２を拡大表示させて、指又はペンでその拡大された図面情報１２２上に手書きでメモ（不具合の説明や問題なし等）を書き加えたりマーキング付けたりする。また、検査者は、その検査位置の写真を撮りたい場合には、カメラアプリを起動させ、カメラ３１でその配筋等の写真を撮影する（ステップＰ１４）。
【００２３】
そして、拡大された図面情報１２２に手書きメモ又はマークなどの手書き情報（以下、手書き情報という。）が付けられて携帯端末３０の記憶部（不図示）に記憶され、検査位置（Ｘ,Ｙ座標）とともに写真が記憶部に記憶される（ステップＰ１５）。
複数の検査位置がある場合には、検査者は、ステップＰ１２からステップＰ１５までを複数回繰り返す。
【００２４】
すべての検査が終わったら、検査者は、送信する検査した検査領域（フロア、部屋、工区等）を携帯端末３０の表示部３９で指定して、その検査領域内の複数の検査位置の手書き情報及び写真等の検査結果１２６をサーバ１０へ送信する（ステップＰ１６）。検査者は別の日も同様に、別の検査領域の検査結果１２６をサーバ１０に送信する。
【００２５】
次に、サーバ１０は携帯端末３０から送られた検査結果１２６を記憶部１２に記憶する（ステップＳ１２）。
【００２６】
クライアント端末５０のオペレータは、サーバ１０が用意するＷＥＢページにＩＤ番号及びパスワードを入力して接続する適宜接続する。そしてＷＥＢページで閲覧したい検査領域（フロア、部屋、工区等）を指定する。この検査領域がクライアント端末５０の表示部５９に表示されるため、オペレータは検査領域の検査の進捗具合が確認できる。また個々の検査結果（図面情報１２２上に手書きした手書き情報、写真等）なども閲覧できる。そして、検査結果の帳票を作成したい場合には、オペレータは、クライアント端末５０を使って帳票の作成を指令する（ステップＣ１２）。
【００２７】
サーバ１０の作成指示受信部１４２が、帳票の作成の指令を受信する。この指令には、をどのように帳票を作成するか等の指令が含まれている。そして、帳票作成部１４３が、その指令に従った帳票を作成する（ステップＳ１３）。そして帳票送信部１４４は、その作成された帳票をクライアント端末５０に送信する（ステップＳ１４）。
【００２８】
クライアント端末５０のオペレータは、サーバ１０から送られてきた帳票をクライアント端末５０の表示部５９に表示して閲覧したり、その帳票をクライアント端末５０に接続されたプリンタ５５を使って紙媒体に印刷したりする（ステップＣ１３）。
【００２９】
＜検査する際の、検査者が携帯端末３０を操作する操作方法＞
図２で示したステップＰ１１〜Ｐ１５の携帯端末３０の操作方法について、図３から図５を使いながら詳述する。なお、図３から図５に示した携帯端末３０の表示部３９は、タブレット端末を使用した例である。
【００３０】
図３（ａ）は、サーバ１０から関連する図面情報１２２及び検査情報１２４をダウンロードする際に、携帯端末３０の表示部３９に表示される画面である。図２のステップＰ１１に関連する図面である。検査者は、携帯端末３０の電源ボタンをＯＮにして、表示部３９上にある施工管理アプリのアイコンをタップする。すると、図３（ａ）に表示された施工管理システムの画面が表示される。“検査条件の設定”で、「検査建物」、「検査主体」、「検査階」、「検査工区」及び「検査員」を“変更”ボタンをタップし、リストから選択する。その後、“ダウンロード”をタップすると、サーバ１０の図面送信部１４１は、記憶部１２に記憶された該当する図面情報１２２及び検査情報１２４を送信し、携帯端末３０はそれら情報をダウンロードする。
【００３１】
図３（ｂ）は、表示部３９にダウンロードした図面情報１２２を表示した画面の一例である。図２のステップＰ１２及びＰ１３に関連する図面である。携帯端末３０が図面情報１２２及び検査情報１２４をダウンロードすると、表示部３９に図面情報１２２が表示される。検査者は、図面情報１２２上での指又はペンを操作して、検査位置へ図面情報１２２を移動させたり、図面情報１２２を拡大縮小（ピンチイン・ピンチアウト（ズームイン・ズームアウト））表示させたりできる。
【００３２】
図３（ｂ）に示されるように、図面情報１２２の見取り図面には、その見取り図面の外側に“通り番号”３８ｘ及び３８ｙが表示されている。“通り”は、建築物の平面の柱を結ぶ縦横の基盤目の基準線であり、各通りはアルファベット又は数字で区別されている。図３（ｂ）の図面情報１２２では、見取り図面の外側に“Ｘ１”から“Ｘ７”の通り番号３８ｘが引出線とともに付されており、“Ｙ１”から“Ｙ８”の通り番号３８ｙが引出線とともに付されている。
【００３３】
検査者が、図３（ｂ）の点線で囲まれた領域ＥＬをピンチインして拡大すると、図３（ｃ）に示されるように表示される。この拡大図面では、見取り図面の外側に配置されていた“通り番号”３８ｘ及び３８ｙは表示されていない。このような拡大図面になると、どこの“通り”であるかを検査者が迷ったり、別の“通り”と誤認することがある。このため、携帯端末３０の表示部３９の下段メニューに、“通表示”ボタンＤ１８が配置されている。
【００３４】
検査者が、“通表示”ボタンＤ１８をタップすると、図４（Ａ）のように、拡大された見取り図面の上に“通り番号”３８ｘ及び３８ｙが重ねて表示される。一度“通表示”ボタンＤ１８がタップされると“通表示”ボタンは、“通非表示”ボタンＤ１８と表示されるので、検査者は、通番号を確認したら、“通非表示”ボタンＤ１８をタップしてもよい。
【００３５】
検査者が、検査位置を図面情報１２２上で特定する場合には、表示モードボタンをタップし、入力モードボタンＤ１１に切り替える。図４（Ｂ）では、「表示モード」から「入力モード」にボタンＤ１１が切り替わった状態が示されている。検査者は、「入力モード」で検査位置をタップしＸＹ座標を特定することができ、ＩＤ番号が作成される。また検査位置から引出し線を描くことが可能となる。
【００３６】
続いて検査者は、「部材」ボタンＤ１２をタップし、検査対象が柱・梁・壁等であるかを設定し、携帯端末３０は対象の部材を特定することができる。続いて検査者は、「記号」ボタンＤ１３をタップし、柱、梁又は壁などの断面図の記号を設定し、携帯端末３０は設定された同じ記号の断面図を特定することができる。これで検査する対象の断面図を選び出すことができる。なお、「記号」で決められた断面図は部材の位置（梁の中央とか端部など））によって断面図（例えば、鉄筋の本数や径など））が異なっている場合がある。そこで、検査者は、検査対象によって「位置」ボタンＤ１４をタップすることがある。「位置」ボタンＤ１４で検査位置を設定し、携帯端末３０は検査すべき位置の断面図を特定することができる。また検査者が「部材」、「記号」、「位置」などのボタンを押して検査部材の情報を設定した後「登録」ボタンをタップすると、携帯端末３０は検査部材の情報を保存する。
【００３７】
また検査者は、「入力モード」で、図面情報１２２上で特定した検査位置に、登録したい検査結果を追加することができる。例えば、図面情報１２２上に検査が終了したことを手書きで入力したい場合には「断面手書き」のボタンＤ１５をタップし、検査位置の写真を撮影して検査位置と紐づけして写真を登録したいと場合には「写真」のボタンＤ１６をタップする。さらに、検査位置で不具合があり、その詳細な情報を登録したい場合には、検査者は「不具合」のボタンＤ１７をタップする。
【００３８】
図４（Ｂ）は、表示部３９に、拡大した図面情報１２２（断面図）上に手書き情報を付した画面の一例である。図２のステップＰ１４及びＰ１５に関連する図面である。検査者は、図面情報１２２上での指又はペンの操作により、図面情報１２２を検査位置まで移動させたり、拡大表示させる。そして検査者が、表示モードボタンをタップし、書込モードボタンＤ１１に切り替る。図４（Ｂ）に描かれるように、指又はペンで、チェックマークを付けたり確認したことを示すため“ＯＫ”の文字を書き加えたりする。手書き情報を書き終えたら、検査者は、「登録」ボタンＤ１９をタップすると、その手書き情報が携帯端末３０に保存される。一方、その手書き情報を削除したい場合には、「１削除」ボタンＤ２４又は「全削除」ボタンＤ２５をタップする。その後、図３（ａ）に描かれた検査データの送信の“実行”ボタンを検査者がタップすると、その検査結果である手書き情報が管理サーバ１０に送信され、管理サーバ１０が受信する。
【００３９】
図３（ｂ）で示された「写真」のボタンＤ１６を検査者がタップすると、図５（ａ）に示される画面に切り替わる。検査者が図５（ａ）に示されるカメラボタンＤ２１をタップすると、撮影ボタン（不図示）とカメラ３１が映し出す画像とが表示部３９に表示される。そして検査者が撮影ボタンをタップし、表示部３９に撮影された写真が固定される。検査者はその写真を使用する場合には使用ボタン（不図示）を押し、その写真を使用しない場合にはキャンセルボタン（不図示）を押して、次の写真撮影を準備に備える。なお、今回撮影した写真を使用するのではなく、過去に撮影した写真を使用したい場合には、検査者は、「新規写真」のボタンＤ２２をタップする。
【００４０】
図５（Ａ）は、検査者が被写体を決めて携帯端末３０の撮影ボタン（不図示）をタップし、その写真を使用する意思確認を行う使用ボタン（不図示）を押して、撮影した写真が取り込まれた図である。図２のステップＰ１４及びＰ１５に関連する図面である。
【００４１】
撮影した写真が携帯端末３０に記憶された後、「Ｔ入力」のボタンＤ２３をラップすると、その写真のタイトルを入力するウェインドＷ２３が表示される。検査者は表示部３９に表示されるキーボード（不図示）を使ってタイトルを入力する。一度入力したタイトルは、携帯端末に記憶されているので「Ｔ選択入力」のボタンをタップすることで、タイトルを選択することができる。
【００４２】
図５（ｂ）は、撮影した写真に手書き情報を記入した図である。検査者は、表示部３９に映し出された写真に手書する場合は表示モードボタンＤ１１をタップし、書き込モードボタンＤ１１に切り替える。書込モードにした状態で、使用者は指又はペンで表示部３９上に必要なメモ又は記号などの手書き情報を記載する。そして、登録ボタンＤ１９をタップすると、その手書き情報が携帯端末３０に保存される。一方、その手書き情報を削除したい場合には、「１削除」ボタンＤ２４又は「全削除」ボタンＤ２５をタップする。手書き情報を記載すると、図３（ａ）に描かれた検査データの送信の“実行”ボタンを検査者がタップすると、その検査結果である手書き情報が管理サーバ１０に送信され、管理サーバ１０が受信する。
【００４３】
図３（ｂ）で示された「不具合」のボタンＤ１７を検査者がタップすると、図５（ｃ）に示される画面に切り替わる。図５（ｃ）は手書き情報ではなく検査位置の不具合をキーボード（不図示）で記入する図であり、図２のステップＰ１４及びＰ１５に関連する図面である。不具合を記入する画面は「手直し１」から「手直し５」までの欄Ｄ２５が用意され、いわゆるドロップダウンメニューで、ダウンロードされた検査情報１２４から適切な項目が選択できるようになっている。検査者は項目を選択したら設定ボタンを押す。「手直し１」から「手直し５」の欄は、大きな項目から徐々に細かな項目を選択できるようになっている。また、不具合をより詳細に記入したい場合には、検査者は備考入力ボタンＤ２６をタップすると、その備考を入力するウインドウ（不図示）が表示され、検査者は表示部３９に表示されるキーボードを使って備考にテキストデータとして不具合の詳細を入力する。そして図３（ａ）に描かれた検査データの送信の“実行”ボタンを検査者がタップすると、その検査結果である手書き情報が管理サーバ１０に送信され、管理サーバ１０が受信する。
【００４４】
＜帳票出力する際の、オペレータがクライアント端末５０を操作する操作方法＞
図６は、図２の点線枠内のフローチャートをより詳細に示したフローチャートである。帳票の作成から印刷までを、図６から図１２を使いながら詳述する。なお、図７〜図１２に示したクライアント端末５０の表示部５９は、ノートパソコンを使用した例である。
【００４５】
まずクライアント端末５０のオペレータは、サーバ１０が用意するＷＥＢページにＩＤ番号及びパスワードを入れて接続する。そしてオペレータは、現場名称、建築名称、検査主体などの検索抽出条件を入力し、建築物等を設定する（ステップＣ１２１）。
【００４６】
サーバ１０は、設定された建築物等に関する情報を記憶部１２から抽出し、より詳細な工区を選択できるＷＥＢページをクライアント端末５０の表示部５９に表示させる（ステップＣ１２２）。例えばオペレータが広い領域の帳票を作成したい場合には、クライアント端末５０を使って、何階であるかと広い領域の大工区とを選択し、オペレータが狭い領域の帳票を作成したい場合には、何階であるかと狭い領域の小工区とを選択したりする。  この小工区は、予め規定された領域だけでなく、クライアント端末５０の表示部５９に大工区のを表示の中から任意の領域を指定することもできる。
【００４７】
図７は、クライアント端末５０で帳票を作成する際に、大工区のどの領域（小工区）の帳票を作成するか設定する画面である。オペレータが、現場名称（例えば○○現場）、建築名称（例えば、オフィス棟）及び工区名称（コア）を入力すると、その工区の図面情報１２２である見取り図面Ｄ４１が“通り番号”Ｄ４６とともに表示される。また画面の右上には、新たな工区名称を入力する枠Ｄ４２が表示される。枠Ｄ４２内には、新たな工区名称（例えばＫ−１Ａ）を入力する欄と「新規登録」ボタンとが用意され、また一度登録した小工区の大きさを変更する際の「変更登録」ボタンが用意されている。
【００４８】
オペレータが、表示部５９の見取り図面Ｄ４１上で任意の２点（Ｓ（Ｄ４３）とＥ（Ｄ４４）をクリックして、工区名称（例えばＫ−１Ａ）を入力後、「新規登録」ボタンをクリックすると小工区の領域Ｄ４５が工区名称Ｋ−１Ａで登録される。この小工区Ｄ４５の工区名称を選択して（図８のＤ５３−１を参照。）、この小工区にある写真や断面図（配筋図）等を表示することが可能となる。
【００４９】
工区（大工区又は小工区を含む）が選択されると、次にサーバ１０は、帳票の表示方法（部材、検査日条件による帳票選択一覧）に関するＷＥＢページ（図８を参照）をクライアント端末５０の表示部５９に表示させる。
【００５０】
次に、オペレータがクライアント端末５０で、帳票の表示方法に関して設定する（ステップＣ１２３）。図８は、オペレータがクライアント端末５０からサーバ１０にアクセスし、帳票を作成する際にどのような項目を帳票に加えるかを選択する選択画面である。選択画面は、画面上段に、タイトル「部材、検査日条件による帳票選択一覧」Ｄ５１と表示される。またステップＣ１２１で選択された、現場名称、建築名称及び検査主体Ｄ５２が画面上段に表示される。また選ばれた工区Ｄ５３が表示され、対象工区に存在する部材名称Ｄ５４が表示される。また、オペレータは、ここに表示した部材を任意に選択でき、選択された部材名称の検査結果のみを表示することも可能である。
【００５１】
図８において、オペレータが帳票を作成するに際して、検査した写真の印刷をしたい場合には、「配筋写真印刷」ボタンＤ５５をクリックする。この際、小工区の選択ボタンＤ５３−１をクリックすると、図７で説明した、工区（大工区）の一部の領域（小工区）の工区名称を指定することで、この小工区Ｄ４５に存在する写真のみを帳票出力できる。その写真が設計図面と比較できるように検査位置の写真と断面図とを併記する。まず工区順、検査日又はＩＤ順等、どのような順に印刷するかを選択する。そしてＡ３サイズ１頁に記載する写真と断面図との枚数（例えば例えば４セット，６セット，８セット及び１０セットなど）を希望することができる。その際に図５（Ｂ）で示したような手書き情報が付いた写真を希望する場合には、オペレータは「配筋手書き付」の項目にチェック（レ点）を入れる。また写真にＩＤ番号が必要であれば、オペレータは「ＩＤ」の項目にチェック（レ点）を入れる。
【００５２】
オペレータが、断面図を利用した検査結果の帳票を作成する場合には、「全数検査帳票」ボタンＤ５６をクリックする。その際に帳票１頁に記載する断面図（配筋図）の枚数（例えば６枚，８枚，１０枚及び１２枚など）を希望することができる。断面図の枚数が多くなればなるほど、断面図１枚の大きさが小さくなる。例えば断面図を利用した検査結果が４８個ある場合に、断面図の枚数を１２枚に設定すると帳票がＡ３サイズで４頁作成され、断面図の枚数を６枚に設定すると帳票がＡ３サイズで８頁作成される。
【００５３】
オペレータが、写真を利用した検査結果の帳票を作成する場合には、「検査帳票（写真付き）」ボタンＤ５７をクリックする。その際に帳票１頁に記載する写真の枚数（例えば６枚，８枚，１０枚及び１２枚など）を希望することができる。
【００５４】
オペレータが、断面図及び写真を利用した検査結果の帳票を作成する場合には、「全数検査帳票（写真付き）」ボタンＤ５８をクリックする。その際に帳票１頁に記載する断面図及び写真の枚数（例えば３セット，４セット，５セット及び６セットなど）を希望することができる。
【００５５】
オペレータが、不具合などの指摘をした帳票を作成する場合には、「指摘帳票印刷」ボタンＤ５９をクリックする。帳票から引き出す引出線を表示する必要があれば、オペレータは「引出線自動配置」の項目にチェック（レ点）を入れる。また、帳票で検査した検査位置のすべてを表示するのではなく、不具合があった検査結果を表示する必要があれば、オペレータは「指摘ありのみ」の項目にチェック（レ点）を入れる。
【００５６】
再び図６に戻り、次に、「配筋写真印刷」ボタンＤ５５がクリックされると、帳票作成部１４３がＡ３サイズ１頁に表示する工区内の写真及び断面図を配置する一覧票を作成する（Ｓ１３１）。図９は、写真枚数６セットを選択して「配筋写真印刷」ボタンＤ５５がクリックされ、クライアント端末５０に表示された画面である。表示部５９には、６セットの検査結果（写真及び断面図）Ｄ６１が作成される。図９に描かれる断面図には手書き情報が記載されていない。それは「配筋手書き付」の項目にチェック（レ点）が入れられなかったからである。
【００５７】
再び図６に戻り、「全数検査帳票」ボタンＤ５６、「検査帳票（写真付き）」ボタンＤ５７又は、「全数検査帳票（写真付き）」ボタンＤ５８がクリックされると、帳票作成部１４３がＡ３サイズ１頁に表示する工区の図面情報１２２Ｄ６３、及びこの工区に含まれる検査結果を周囲に配置する帳票を作成する（Ｓ１３２）。図１０は、断面図を１０枚を選択して「全数検査帳票」ボタンＤ５６がクリックされ、クライアント端末５０に表示された画面である。帳票作成部１４３はＡ３用紙に工区の図面情報１２２である見取り図面Ｄ６３を中央に配置する。さらに検査結果である断面図Ｄ６４が、見取り図面Ｄ６３の周囲に配置される。また、見取り図面Ｄ６３の検査位置から各断面図Ｄ６３へ引出線Ｄ６５が引き出される。帳票作成部１４３は、検査位置から各断面図Ｄ６３への各引出線Ｄ６５が交差しないように、断面図Ｄ６４を配置する。各断面図Ｄ６３には通り位置情報に基づいた“通り番号”の表示や平面伏図に記載された手書き情報も表示できる。なお、図７で説明したように、小工区Ｄ４５の見取り図面Ｄ６３を選択すると、“通り番号”Ｄ４６が領域Ｄ４５内に入っていない。これでは“通り番号”が理解しにくいため、帳票作成部１４３は、小工区Ｄ４５の見取り図面Ｄ６３上に“通り番号”を表示する。
【００５８】
図１１は、写真及び断面図を６セット選択して「全数検査帳票（写真付き）」ボタンＤ５８がクリックされ、クライアント端末５０に表示された画面である。帳票作成部１４３はＡ３用紙に工区の図面情報１２２である見取り図面Ｄ６３を中央に配置する。工区には、さらに検査結果である写真及び断面図Ｄ６６が、見取り図面Ｄ６３の周囲に配置し、検査位置から各断面図Ｄ６３への各引出線Ｄ６５が交差しないように、引出線Ｄ６５を配置する。
【００５９】
図１０で示した検査位置から各断面図Ｄ６３又は図１１で示した写真及び断面図Ｄ６６への各引出線Ｄ６５が交差しないために、帳票作成部１４３は以下の処理をする。
（１）  表示したい各断面図Ｄ６３又は写真及び断面図Ｄ６６の座標の重心位置（Ｘ０，Ｙ０）を算出する。
（２）  選択された断面図の枚数又は写真及び断面図のセット数に基づいて、見取り図面Ｄ６３の周囲（左右上下の４つのグループ）の表示領域への割付数を設定する。
（３）  （２）で設定された割付数と（１）で算出した重心位置から分水嶺となるラインを算出する。
（４）  分水嶺のラインに基づいて、各断面図Ｄ６３又は写真及び断面図Ｄ６６を４つのグループに分ける
（５）  上下のグループではＸ座標をもとにデータをソートする
（６）  左右のグループではＹ座標をもとにデータをソートする
（７）  （５）及び（６）のソート順に従って見取り図面Ｄ６３の周囲に、各断面図Ｄ６３又は写真及び断面図Ｄ６６を配置する。
帳票作成部１４３はこのような処理をして、各引出線Ｄ６５を交差しないようにしている。
【００６０】
「検査帳票（写真付き）」ボタンＤ５７がクリックされた場合の図面は省略する。この場合も、図１０及び図１１と同様に、中央に配置された見取り図面Ｄ６３の周囲に写真が配置され、検査位置から写真までの引出線が引き出される。引出線は互いに交差しない。
【００６１】
再び図６に戻り、次に、「指摘帳票印刷」ボタンＤ５９をクリックされると、帳票作成部１４３がＡ３サイズ１頁に表示する工区の見取り図面である図面情報１２２Ｄ６３、及びこの工区に含まれる不具合の一覧表Ｄ６７を配置を作成する（Ｓ１３３）。図１２は、「引出線自動配置」が選択され、「指摘ありのみ」が選択されず、「指摘帳票印刷」ボタンＤ５９がクリックされ、クライアント端末５０に表示された画面である。図１２に描かれる一覧表Ｄ６７には不具合が記載されていない。それは「指摘ありのみ」の項目にチェック（レ点）が入れられなかったからである。また一覧表Ｄ６７にはＩＤが「１」から「Ｎ」までの自然数が付されている。
【００６２】
「引出線自動配置」が選択されているため、見取り図面Ｄ６３の検査位置から見取り図面Ｄ６３の外側へ引出線Ｄ６８が引き出されている。この引出線Ｄ６８の一端は、見取り図面Ｄ６３の検査位置が示され、他端はＩＤの数字が表示されている。このため、一覧表Ｄ６７のＩＤと比較すれば、どの箇所に不具合があるかが容易に理解できる。帳票作成部１４３は、検査位置から各断面図Ｄ６３への各引出線Ｄ６８が交差しないように配置されている。
【００６３】
再び図６に戻り、帳票作成部１４３は次頁の帳票があるか否かを判断する（ステップＳ１３４）。例えば「全数検査帳票（写真付き）」ボタンＤ５８がクリックされた場合、断面図及び写真を利用した検査結果が１２個ある場合に、断面図及び写真のセットを４セットに設定すると帳票がＡ３サイズで３頁作成されるまで、ステップＳ１３２及びＳ１３４が繰り返される。
【００６４】
すべての帳票が作成されると、それら作成された帳票は記憶部１２に作成帳票１２８として記憶される。そして帳票送信部１４４が、作成されたすべての作成帳票１２８をクライアント端末５０に送信する（ステップＳ１４）。
オペレータは、クライアント端末５０の表示部５９で帳票を閲覧する。図９から図１２は表示部５９に表示された画面である。オペレータは、紙媒体に印刷が必要ならプリンタ５５を使って印刷する（ステップＣ１３）。
【産業上の利用可能性】
【００６５】
本実施形態では、図面情報１２２のうち配筋図を使った配筋検査を主に説明したが、鉄骨検査、スリーブ検査などにも適用できる。またＡ３サイズの帳票を想定して説明したがＡ４サイズ等の帳票の場合には、１頁に載せる検査結果の数を変更させたり、全体的に小さく配置するようにすればよい。
【００６６】
さらに、図８を使って「全数検査帳票」ボタンＤ５６、「検査帳票（写真付き）」ボタンＤ５７、「全数検査帳票（写真付き）」ボタンＤ５８をクリックした際に作成される帳票は。自主検査などの１人（１社）が検査した帳票を出力（図１０、図１１）を例示した。しかし、これに限られず、自主検査、監理検査、設計検査及び施主検査の検査結果を1頁の帳票に列記して出力するようにしてもよい。自主検査の検査者が携帯する第１携帯端末３０ａを使い検査をし、管理監査の検査者が携帯する第２携帯端末３０ｂを使って検査をする。そして、管理サーバ１０がそれぞれの第１検査結果と第２検査結果とを受信する。帳票作成手段１４３は、第１検査結果（例えば写真）及び第２検査結果（例えば写真）を併記して配置することもできる。また帳票作成手段１４３は、第１検査結果（赤色で表示した手書き情報）及び第２検査結果（緑色で表示した手書き情報）を合成して一つの断面図に配置する。もちろん、異なる３以上の検査主体の写真を３以上併記して表示してもよいし、３つの手書き情報を合成して配置してもよい。
【符号の説明】
【００６７】
１０  …  管理サーバ
１２  …  記憶部
１４  …  演算処理部
１２２  …  図面情報
１２４  …  検査情報
１２６  …  検査結果
１２８  …  作成帳票
１４１  …  図面送信部
１４２  …  作成指示受信部
１４３  …  帳票作成部
１４４  …  帳票送信部
３０  …  携帯端末
３１  …  カメラ
３９  …  表示部
５０  …  クライアント端末
５９  …  表示部
【図１】
2017130004.tif 000003
【図２】
2017130004.tif 000004
【図３】
2017130004.tif 000005
【図４】
2017130004.tif 000006
【図５】
2017130004.tif 000007
【図６】
2017130004.tif 000008
【図７】
2017130004.tif 000009
【図８】
2017130004.tif 000010
【図９】
2017130004.tif 000011
【図１０】
2017130004.tif 000012
【図１１】
2017130004.tif 000013
【図１２】
2017130004.tif 000014